【手続補正書】
【提出日】平成20年9月26日(2008.9.26)
【手続補正１】
【補正対象書類名】特許請求の範囲
【補正対象項目名】全文
【補正方法】変更
【補正の内容】
【特許請求の範囲】
【請求項１】
暗号化されたハードウエアサブデザインを発生させる方法であって、
第１の設計者側で第１のハードウエアサブデザインを発生させる段階と、
第２の設計者側で第２のハードウエアサブデザインを発生させる段階と、
信頼できるホスト識別子を有する集積回路に前記第１のハードウエアサブデザイン及び前記第２のハードウエアサブデザインをアップロードする段階と、
前記信頼できるホスト識別子に基づくライセンスを適用することによって前記第２のハードウエアサブデザインを使用可能にする段階と、
を含むことを特徴とする方法。
【請求項２】
デジタル処理システム上で実行された時に、
第１の設計者側で第１のハードウエアサブデザインを発生させる段階と、
第２の設計者側で第２のハードウエアサブデザインを発生させる段階と、
信頼できるホスト識別子を有する集積回路に前記第１のハードウエアサブデザイン及び前記第２のハードウエアサブデザインをアップロードする段階と、
前記信頼できるホスト識別子に基づくライセンスを適用することによって前記第２のハードウエアサブデザインを使用可能にする段階と、
を含む暗号化されたハードウエアサブデザインを発生する方法を前記デジタル処理システムに実行させる複数の実行可能な命令を収容した機械可読媒体。
【請求項３】
暗号化されたハードウエアサブデザインを発生させるシステムであって、
第１の設計者側で第１のハードウエアサブデザインを発生させるための手段と、
第２の設計者側で第２のハードウエアサブデザインを発生させるための手段と、
信頼できるホスト識別子を有する集積回路に前記第１のハードウエアサブデザイン及び前記第２のハードウエアサブデザインをアップロードするための手段と、
前記信頼できるホスト識別子に基づくライセンスを適用することによって前記第２のハードウエアサブデザインを使用可能にするための手段と、
を含むことを特徴とするシステム。
【請求項４】
信頼できるホスト識別子を有する集積回路に暗号化された回路デザインをアップロードする段階と、
信頼できるホスト識別子特定のライセンスに基づいて前記暗号化された回路デザインを使用可能にする段階と、
を含むことを特徴とする方法。
【請求項５】
デジタル処理システム上で実行された時に、
暗号化された回路デザインを信頼できるホスト識別子を有する集積回路にアップロードする段階と、
信頼できるホスト識別子特定のライセンスに基づいて前記暗号化された回路デザインを使用可能にする段階と、
を含む方法を前記デジタル処理システムに実行させる複数の実行可能な命令を収容した機械可読媒体。
【請求項６】
信頼できるホスト識別子を有する集積回路に暗号化された回路デザインをアップロードするための手段と、
信頼できるホスト識別子特定のライセンスに基づいて前記暗号化された回路デザインを使用可能にするための手段と、
を含むことを特徴とするシステム。
【請求項７】
信頼できるホスト識別子に基づいて集積回路内の知的財産に制約を加える方法であって、
信頼できるホスト識別子を有する集積回路上で特定の量の時間に対してのみ実行することができるハードウエアサブデザインを使用可能にする該信頼できるホスト識別子特定のライセンスを発生させる段階、
を含むことを特徴とする方法。
【請求項８】
デジタル処理システム上で実行された時に、
信頼できるホスト識別子を有する集積回路上で特定の量の時間に対してのみ実行することができるハードウエアサブデザインを使用可能にする該信頼できるホスト識別子特定のライセンスを発生させる段階、
を含む、信頼できるホスト識別子に基づいて集積回路内の知的財産に制約を加える方法を前記デジタル処理システムに実行させる複数の実行可能な命令を収容した機械可読媒体。
【請求項９】
信頼できるホスト識別子に基づいて集積回路内の知的財産に制約を加えるシステムであって、
信頼できるホスト識別子を有する集積回路上で特定の量の時間に対してのみ実行することができるハードウエアサブデザインを使用可能にする該信頼できるホスト識別子特定のライセンスを発生させるための手段、
を含むことを特徴とするシステム。
【請求項１０】
ユーザによって修正することができない信頼できるホスト識別子を有する集積回路を製造する段階、
を含むことを特徴とする方法。
【請求項１１】
デジタル処理システム上で実行された時に、
ユーザによって修正することができない信頼できるホスト識別子を有する集積回路を製造する段階、
を含む方法を前記デジタル処理システムに実行させる複数の実行可能な命令を収容した機械可読媒体。
【請求項１２】
ユーザによって修正することができない信頼できるホスト識別子を有する集積回路を製造するための手段、
を含むことを特徴とするシステム。
【請求項１３】
信頼できるホスト識別子を有する集積回路であって、
第１の設計者によって信頼できるホスト識別子とは独立に使用可能にされた第１のハードウエアサブデザインと、
第２の設計者によって前記信頼できるホスト識別子に基づいて使用可能にされた第２のハードウエアサブデザインと、
を含むことを特徴とする集積回路。
【請求項１４】
信頼できるホスト識別子を有する集積回路内のロケーションであって、
集積回路内の暗号化された回路デザインを使用可能にするライセンス交付ブロックと、  前記暗号化された回路デザインがどのくらい長く作動することになるかを判断するクロック回路と、
を含むことを特徴とするロケーション。
【請求項１５】
複数の集積回路（ＩＣ）を設計する際に使用されるデジタル処理システムであって、
表示装置と、
メモリと、
信頼できるホスト識別子を有する集積回路上でハードウエアサブデザインが特定の量の時間に対して作動することを可能にする信頼できるホスト識別子特定のライセンスを発生させる、前記メモリ及び前記表示装置に結合したプロセッサと、
を含むことを特徴とするシステム。
【請求項１６】
設計者側の方法であって、
第１のハードウエアデザインと、信頼できるホスト識別子を通じて第２のハードウエアデザインを使用可能にする第２の暗号化されたデザインとを合併する段階、
を含むことを特徴とする方法。
【請求項１７】
ＩＰブロック所有者側の方法であって、
別の設計者によって集積回路内に組み込むための暗号化されたデザインを発生させる段階と、
前記集積回路の信頼できるホスト識別子部分に対するデータを許可する段階と、
を含むことを特徴とする方法。
【請求項１８】
信頼できるホスト識別子プロバイダ側の方法であって、
設計者によって構成することができるプログラマブル・ゲート・アレイ又は特定用途向け集積回路を生成する段階と、
信頼できるホスト識別子部分を前記プログラマブル・ゲート・アレイ又は前記特定用途向け集積回路に組み込む段階と、
を含むことを特徴とする方法。
【請求項１９】
設計者側の方法であって、
ＩＰブロックの暗号化された部分によって使用されて該ＩＰブロックの残りの部分を使用可能にする信頼できるホスト識別子を発生させる段階、
を含み、
前記信頼できるホスト識別子は、集積回路をプログラムするか又は製造する時にソフトウエアによって提供される、
ことを特徴とする方法。
【請求項２０】
ＩＰブロック所有者側の方法であって、
別の設計者によって集積回路内に組み込むためにＩＰブロックに関連した暗号化された回路デザインを発生させる段階と、
前記ＩＰブロックを使用可能にするために、集積回路をプログラムするか又は製造する時にソフトウエアを通じて信頼できるホスト識別子を前記別の設計者に提供する段階と、  を含むことを特徴とする方法。